(57)【要約】【課題】  より薄型に構成可能な照明装置を提供する。【解決手段】  ＬＥＤ等の光源３が枠体１の開口部２（光照射口）の開口方向に対して略直角方向に配置される。そして、光源３の前方には反射板４が当該光源３からの光束を枠体１の開口部２に反射させるべく、傾斜して配置される。光源３と反射板４の間には開口部２からの発光がむらのでないよう制御するレンズ５を配置し、また光源３を複数にし光源毎のレンズ形状を形成することもできる。【選択図】  図１
2005122969.tif 000002
【特許請求の範囲】
【請求項１】
開口部を有する枠体と、
前記開口部の開口方向に対して、発光方向が略直角になるように配置された光源と、
前記光源の前方に当該光源からの光束を前記開口部に向けるべく傾斜配置された反射板とを具備する照明装置。
【請求項２】
前記光源と、前記反射板との間にレンズを設けたことを特徴とする請求項１記載の照明装置。
【請求項３】
前記光源は、複数あり、
前記レンズは、前記光源毎に対応するレンズ形状を有することを特徴とする請求項２記載の照明装置。
【発明の詳細な説明】
【技術分野】
【０００１】
本発明は、携帯情報端末等に搭載されるカメラ用の人工光源等として使用される照明装置に関し、特に、ＬＥＤを光源とした照明装置に関する。
【背景技術】
【０００２】
近年、ＬＥＤ（発光ダイオード）の高輝度化に伴って、当該ＬＥＤが各種の光源として用いられている（例えば、特許文献１参照）。特に、最近では、携帯電話等の小型の携帯機器に搭載し、カメラ用の人工光源等として使用する照明装置が公知となっている。
【０００３】
図４は従来の照明装置の断面構造図である。図４に示すように、特許文献１等、ＬＥＤによる光源３を使用する従来の照明装置においては、光源３の先にレンズ９および枠体１０の開口部（光照射口）１１を配置する縦配置となっている。
【特許文献１】特開２０００−５８９２５号公報
【発明の開示】
【発明が解決しようとする課題】
【０００４】
しかし、このような従来の照明装置においては、以下のような問題があった。すなわち、上記のような縦配置に構成すると、照明装置を搭載する携帯機器の厚みを光源３の縦方向の長さｂ、光源３の発光をできるだけ均一に拡散させるための光源−レンズ間距離ｃおよびレンズ厚ｄをすべて加算したｂ＋ｃ＋ｄ以上にする必要があり、特に、携帯機器がさらに薄型化している現在、照明装置の厚みにより携帯機器の薄型化が阻害される場合が生じ得るという問題があった。
【０００５】
本発明は、かかる従来技術の問題点を解決するべくなされたもので、より薄型に構成可能な照明装置を提供することを目的とする。
【課題を解決するための手段】
【０００６】
本発明に係る照明装置は、開口部を有する枠体と、前記開口部の開口方向に対して、発光方向が略直角になるように配置された光源と、前記光源の前方に当該光源からの光束を前記開口部に向けるべく傾斜配置された反射板とを具備するものである。
【０００７】
上記構成に係る照明装置によれば、ＬＥＤ等の光源が枠体の開口部（光照射口）の開口方向に対して、発光方向が略直角に配置される。そして、反射板が当該光源からの光束を枠体の開口部に反射させるべく、傾斜して配置される。
【０００８】
したがって、光学系を枠体の開口部の開口方向に対して略直角方向に伸ばすことができるため、枠体の開口部方向の厚みをより薄型に形成することができる。
【０００９】
好ましくは、前記光源と、前記反射板との間にレンズを設けるように構成される。
【００１０】
この場合、枠体の開口部の開口方向に対して略直角に伸びた光学系において光源からの光束を反射板に導くレンズを光源の発光方向に配置する。これにより、レンズの厚さが枠体の開口部方向の厚みに影響を与えないため、より薄型に構成可能となる。
【００１１】
さらに好ましくは、前記光源は、複数あり、前記レンズは、前記光源毎に対応するレンズ形状を有するように構成される。
【００１２】
この場合、光源が複数配置され、その光源毎の光を制御するレンズ形状を有するレンズが配置される。これにより、光源からの光束を枠体の開口部面にむらなく照射することができるとともに効率を上げることができる。
【発明の効果】
【００１３】
本発明に係る照明装置によれば、光学系を枠体の開口部の開口方向に対して略直角方向に伸ばすことができるため、枠体の開口部方向の厚みをより薄型に形成することができる。
【発明を実施するための最良の形態】
【００１４】
以下、添付図面を参照しつつ、本発明を実施するための最良の形態について説明する。図１は本発明の一実施形態に係る照明装置の分解構造図である。また、図２は図１の照明装置の上面図である。
【００１５】
本実施の形態に係る照明装置は、開口部２を有する枠体１と、前記開口部２の開口方向に対して、発光方向が略直角になるように配置された光源３と、前記光源３の前方に当該光源３からの光束を前記開口部２に向けるべく傾斜配置された反射板と４を具備するものである。光源３は、基板７に電気接続されて取り付けられ、通電可能とされる。また、光源３が取り付けられた基板７に枠体１および反射板４が取り付けられた後、枠体１の開口部２に例えば透明または半透明の樹脂材料よりなる上蓋６が取り付けられて照明装置が構成される。
【００１６】
図３は図２のｘ−ｘ断面図である。上記構成に係る照明装置によれば、図３に示すように、ＬＥＤ等の光源３が枠体１の開口部２（光照射口）の開口方向に対して、発光方向が略直角になるように配置される。そして、反射板４が当該光源３からの光束を枠体１の開口部２に反射させるべく、傾斜して配置される。本実施形態においては、反射板４を傾斜配置させるために傾斜面を有する傾斜台８を枠体１に取り付けている。ここで、本実施形態においては、傾斜板４で反射した光束が広範囲に広がるようにやや湾曲した傾斜板４を用いているが、直線板等種々適用可能である。
【００１７】
上記のように、光学系を枠体１の開口部２の開口方向に対して略垂直方向に伸ばすことができるため、枠体１の開口部２方向の厚みｅをより薄型に形成することができる。すなわち、照明装置の厚みを光源３の幅ａだけを考慮して設定することができる。また、ＬＥＤ等の光源３は、図４に示すように、縦方向の長さｂより横方向長さ（幅）ａの方が短いことが多いので照明装置をより薄型に形成することができる。なお、照明装置としては、光の拡散具合を考慮して光源３の幅ａと上蓋６との間に若干の空間を設ける必要がある場合もあるが、これを考慮に入れたとしても縦配置である従来型の照明装置に比べて非常に薄く形成することができる。
【００１８】
本実施形態においては、図３に示されるように、前記光源３と、前記反射板４との間にレンズ５がさらに設けられるように構成される。
【００１９】
この場合、枠体１の開口部２の開口方向に対して略直角方向に伸びた光学系において光源３からの光束を反射板４に導くレンズ５を光源３の発光方向に配置する。これにより、レンズ５の厚さが枠体１の開口部２方向の厚みｅに影響を与えないため、より薄型に構成可能となる。なお、光の拡散具合を考慮して図３のように光源３の幅ａよりもレンズ５の厚みが大きい場合も考えられるが、この場合であっても、レンズ５の厚みのみを考慮して照明装置を形成することができるため、光源３の縦方向の長さｂおよびレンズ厚ｄを加算しなければならない従来型に比べて、より薄型に形成することができる。
【００２０】
また、図１〜図３に示されるように、前記光源３は、複数あり、前記レンズ５は、光源毎の光を制御するレンズ形状を有するように構成される。この場合レンズ５は１個でも複数でもよい。
【００２１】
この場合、光源３が複数配置され、その光源毎の光を制御するレンズ形状を有するレンズが配置される。これにより、光源からの光束を枠体の開口部面にむらなく照射することができるとともに効率を上げることができる。
【産業上の利用可能性】
【００２２】
本発明に係る照明装置は、光学系を枠体の開口部の開口方向に対し略直角方向に伸ばすことができるため、枠体の開口部方向の厚みをより薄型に形成することができるという効果を奏し、携帯情報端末等に搭載されるカメラ用の人工光源等として使用される照明装置、特に、ＬＥＤを光源とした照明装置等として有用である。
【００２３】
本発明に係る照明装置は、光学系を枠体の開口部の開口方向に対して略直角方向に伸ばすことができるため、枠体の開口部方向の厚みをより薄型に形成することができるという効果が必要な技術分野等の用途にも適用できる。
【図面の簡単な説明】
【００２４】
【図１】本発明の一実施形態に係る照明装置の分解構造図
【図２】図１の照明装置の上面図
【図３】図２のｘ−ｘ断面図
【図４】従来の照明装置の断面構造図
【符号の説明】
【００２５】
１  枠体
２  開口部
３  光源
４  反射板
５  レンズ
【図１】
2005122969.tif 000003
【図２】
2005122969.tif 000004
【図３】
2005122969.tif 000005
【図４】
2005122969.tif 000006